(57)【特許請求の範囲】
【請求項１】
外装シートの内側に保冷性能とクッション機能を併せ持つラバー等からなる保護シートを接着して壜，ボトルの胴部と同形またはやや小形のボトルホルダーを立体形成し、該ボトルホルダーの上面中心に着脱用の小孔を形成して、壜，ボトルの胴部の外表に着脱自在にて密嵌着して長時間保冷すると同時に壜，ボトルの外表より結露の発生することを防止するとともに、該保護シートの外装シートに接する外面に内径を弾力的に広狭し且つ保冷力を向上させる空気層を形成するためのＶ形縦溝を連続し周設したことを特徴とするボトルホルダー。
【発明の詳細な説明】
【技術分野】
【０００１】
この発明はボトルホルダー、詳しくは冷却または温めた飲料壜，ボトル内の飲料を一定時間保温するボトルホルダーに関するものである。
【背景技術】
【０００２】
この種のボトルホルダーとしては特開平７−１１６０５０号公報がある。該公報は壜の首部と胴部の全体をすっぽり弛るく包被するカバーを記載している。該カバーを上下２分割体にすることもあるが、上部より下部を漸次広径にして、多数個を重ね置きできるようにしたことを含むとしている。
【特許文献１】特開平７−１１６０５０号公報
【発明の開示】
【発明が解決しようとする課題】
【０００３】
しかしながら該公報は、下広がりによって壜に被せると、弛るいだけでなく壜との間に下広の空隙が生じて、保冷，保温作用が半減するという課題がある。また壜の外表には空隙内の空気接触により結露が生じて周囲をぬらし汚すという課題がある。しかも長い首部も嵌付けるので脱着が容易でないという課題がある。上下２分割体は能率的な製造を妨げるという課題がある。
【課題を解決するための手段】
【０００４】
本発明は、外装シートの内側に保冷性能とクッション機能を併せ持つラバー等からなる保護シートを接着して壜，ボトルの胴部と同形またはやや小形のボトルホルダーを立体形成し、該ボトルホルダーの上面中心に着脱用の小孔を形成して、壜，ボトルの胴部の外表に着脱自在にて密嵌着して長時間保冷すると同時に壜，ボトルの外表より結露の発生することを防止するとともに、該保護シートの外装シートに接する外面に内径を弾力的に広狭し且つ保冷力を向上させる空気層を形成するためのＶ形縦溝を連続し周設して、かかる課題を解決したのである。
【発明の効果】
【０００５】
本発明ボトルホルダーは、冷却した飲料または加温した飲料を充填したビール壜を含む各種壜、ボトルの外表に密嵌着することにより、上記の飲料を一定時間、冷，保温することができるという効果を生ずる。ボトルホルダーは密嵌着することによって壜，ボトルの表面に空気接触による結露がまったく生じないから周囲をぬらし汚すこともないという効果を生ずる。
【０００６】
ボトルホルダーは中間に細い縦溝を周設したことと、内面を平滑にコーティングしたことによって、壜，ボトルにワンタッチにて至極容易に着脱することができるという効果を生ずる。
【０００７】
内面上部の数ヶ所に弾力性のある滑り止めストッパーを突設したので、密嵌着したボトルホルダーはみだりにずれ動いたり、脱落等をしないという効果を生ずる。
【０００８】
また、ボトルホルダーは側周に縦長の確認窓を１乃至数本において設けたので、壜，ボトル内の飲料の残量を目視確認することができるという効果を生ずる。
【発明を実施するための最良の形態】
【０００９】
本発明は、外装シートの内側に保冷，保温性能とクッション機能を併せ持ったラバー等からなる保護シートを接着して壜，ボトルの胴部と同形またはやや小形のボトルホルダーを立体形成し、該ボトルホルダーを上部の小孔より壜，ボトルの胴部全長に着脱自在において密嵌着するようにしたことを特徴とするボトルホルダーにある。ボトルホルダーは着脱を円滑にするために内面を平滑にコーティングし、保護シートは外装シートに接する外面に内径を弾力的に広狭することと、空気層を有せしめるためのＶ形縦溝を連続周設し、且つ内面上部の数個所には弾力性のある滑り止めストッパーを突設する。またボトルホルダーはボトル内の液量を目視できる縦長の確認窓を１乃至数本において設けるのである。
【実施例１】
【００１０】
図１に示すように皮革，合成皮革などの表装材を裁断して形成する外装シート１の内面にラバー等からなる厚手の保護シート２を接着して、２枚重ねにてなるビール壜３ａ，ワインボトル３ｂに密嵌着する大きさの筒形をしたボトルホルダー４を立体形成する。内側の保護シート２にはすぐれた保冷，保温性能とクッション機能を併せ持たせるようにする。
【００１１】
さらに保護シート２は図３（ａ）に示すように表装シート１に接する外面に細いＶ形縦溝２ａを連続周設して伸縮弾力性を附与し、また内面は平滑面を構成するように滑り材２ｂをコーティングして壜３ａ，ボトル３ｂの外表にワンタッチにて着脱するようにする。５はボトルホルダーの上面中心に設けた着脱用の小孔である。小孔５を用いてボトルホルダー４を各種の壜３ａ，ボトル３ｂの首部６下の胴部７の全長に密嵌着するのである。壜３ａ，ボトル３ｂ内の飲料は長時間冷えた状態を持続することとなる。ボトルホルダー４を密嵌着して外気と断熱することにより、冷えた壜３ａ，ボトル３ｂは空気接触がないから、結露の生ずることが確実に防止されることとなる。そしてボトルホルダー４はクッション性を持つことにより、太径の壜３ａ，ボトル３ｂを持ち外れなしに手ざわりよく持つことができ、不意に落とすこともなくなる。また壜３ａ，ボトル３ｂが倒れてもボトルホルダー４が緩衝するので破損することが生じないものとなる。
【００１２】
ボトルホルダー４はまた内面上部の数ヶ所に弾力性のある素材をもって滑り止めストッパー８を突設して密嵌着したボトルホルダー４を壜３ａ，ボトル３ｂからみだりにずれ動いたり、脱落したりしないようにする。
【００１３】
さらに本発明ボトルホルダー４は、側周に間隔を置いて縦長の液量確認窓９を１乃至数本設けて、側周のどの方向からも壜３ａ，ボトル３ｂ内の飲料の残量を目視確認することができるようにする。
【００１４】
またボトルホルダー４は、底面に着脱自在においてコースター４ａを嵌取付けて、壜３ａ，ボトル３ｂの底面に結露が発生することを防いで、テーブルなどがぬれ汚れることを防止するようにする。４ｂは掛止用突起である。
【００１５】
なお、ボトルホルダー４はビール壜３ａ，ワインボトル３ｂ等の各種の大きさに対応するように大小数種の立体形状において形成するのである。
【００１６】
外装シート１は皮革，合成皮革など表装用として知られている豪華な素材のほか、手触りがよく滑りにくい素材、例えばＥＶＡ（エチレン ビニール アセテート）にて形成することもある。ＥＶＡは弾力性と柔軟性に優れ、冷温でも硬くならず、ちぎれにくいなどの耐久性を備え、しかも軽量で取扱いやすく、環境ホルモンを一切含まない無公害素材であり、抗菌処理・防黴処理等を施すことにより飲料周りの素材として安全且つ衛生的に長く使用することができるものである。また外装シート１には花柄などを印刷して美麗に飾ることもできるほか、飲料製造会社，店舗などの広告印刷用として利用することもできる。
【００１７】
保護シート２は保温性能とクッション機能を併せ持つほか、耐摩耗性，耐老化性で耐油（アルコール）性に優れ、無毒無公害なＮＢＲ（ニトリル ブタジエン ラバー）などの素材にて形成する。保護シート２は外装シートの３〜５倍の厚みにしてクッション性を確保し、さらに図３（ａ）に示すように外装シート１と接着する外面に細いＶ形縦溝２ａを連続周設することで、Ｖ形縦溝２ａ内の空気層による断熱作用によってさらに保温力が向上することとなる。またＶ形縦溝２ａを連続周設したことにより、図３（ｂ）に示すように保護シート２の内径が一層弾力的に広狭するものとなり、内面に塗布したフッ素系，シリコン系等の滑り材２ｂの作用と相俟って、径が多少大小する壜３ａ，ボトル３ｂについても容易にワンタッチ着脱することができることとなる。なお保護シート２の内面の上部、壜３ａ，ボトル３ｂを持つときに指掛けする位置に滑り止めストッパー８を設けたので、ボトルホルダー４はワンタッチ着脱が容易にかかわらず、ストッパー８による滑り止めにてずれ動いたり脱落したりとないこととなる。滑り止めストッパー８は保護シート２と一体に形成するほか、別体にて形成した滑り止めストッパー８を接着取付けすることもある。
【００１８】
ボトルホルダー４の側周に設ける縦長の液量確認窓９は、壜３ａ，ボトル３ｂが空気接触する面積を小さくするため、目視を妨げない程度になるべく細長い形状にて形成する。また液量確認窓９は透明シート１０で覆うようにして空気接触を一切防止するようにすることもある。
【００１９】
図６はボトルホルダー４の他例を示すもので、冷酒用として採用されることの多い四合壜，二合壜３ｃ、ジュースなどの清涼飲料壜３ｄ、酒徳利３ｅなどの各種の大きさ，形状に対応する各別の大きさにて形成する。保護シート２の弾力性によってぴったり嵌合してワンタッチ着脱ができるものとなる。熱燗にした酒徳利３ｅにボトルホルダー４を密嵌着するときは、熱さが断熱されるので胴部をしっかり持つことができることとなる。
【００２０】
本発明のボトルホルダー４は、外装シート１，保護シート２とも柔軟によって扁平に折畳み、さらに多数個を重ねて場所をとらずに保管することができる。
【産業上の利用可能性】
【００２１】
本発明は、冷したビール壜，ワインボトル、燗をつけた酒徳利などの外表に密嵌着して保温作用を長く維持するようにし、また冷えた壜，ボトルの表面に結露が生じないようにしたので、飲食店，家庭用のそれぞれにおいて広く利用することができるものである。
【図面の簡単な説明】
【００２２】
【図１】ボトルホルダーの１例を示す斜視図とそのＡ−Ａ線拡大断面図、Ｂ−Ｂ線拡大断面図
【図２】ボトルホルダーをビール壜，ワインボトルに嵌着する前と嵌着した状態を示す斜視図
【図３】（ａ）保護シートの外装シートに接する外面にＶ形縦溝を形成した例を示す部分拡大断面図で、（ｂ）は同、嵌着する際に壜の大きさによって内径が拡開した状態を示す断面図
【図４】液量確認窓を透明シートにて被覆した例を示す部分斜視図
【図５】着脱自在のコースターを嵌取付け前の状態にて示す斜視図
【図６】ボトルホルダーの他例を示すもので、四合壜と二合壜、清涼飲料壜、酒徳利に密嵌着した状態の斜視図
【符号の説明】
【００２３】
１は外装シート
２は保護シート
２ａはＶ形縦溝
２ｂは滑り材
３ａはビール壜
３ｂはワインボトル
３ｃは四合壜，二合壜
３ｄは清涼飲料壜
３ｅは酒徳利
４はボトルホルダー
４ａはコースター
４ｂは掛止用突起
５は小孔
６は首部
７は胴部
８は滑り止めストッパー
９は液量確認窓
１０は透明シート
【図１】
0004672706.tif 000002
【図２】
0004672706.tif 000003
【図３】
0004672706.tif 000004
【図４】
0004672706.tif 000005
【図５】
0004672706.tif 000006
【図６】
0004672706.tif 000007